(57)【要約】【課題】  事業者、サイト管理者に負担が少なく、顧客に魅力的なビジネス促進システムを得る。【解決手段】  入札販売者端末６０と、事業者端末１０と、顧客端末３０と、リンクの管理サーバ２０とを含む懸賞提供情報を利用したビジネス促進システムで、入札販売者端末６０からの懸賞入札販売情報を受信後、懸賞入札販売情報に応じた事業者端末１０からの入札申込み情報を受信し、落札結果を入札した事業者端末１０に通知し、落札懸賞を登録する懸賞入札管理処理手段Ｍ７１と、懸賞を懸賞提供情報として登録する懸賞提供情報登録処理手段Ｍ７２と、顧客端末３０からの懸賞希望者問合せに応じる懸賞受付窓口サイトを落札した事業者のサイトへリンク設定するリンク設定管理処理手段Ｍ７３と、予め設定された条件に基づき事業者端末１０へのリンク設定解除予告、通知、リンク設定解除を行うリンク管理処理手段Ｍ７４とを備える。【選択図】        図１
2006185181.tif 000002
【特許請求の範囲】
【請求項１】
懸賞の入札販売者端末と、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進システムであって、
前記管理サーバは、
前記懸賞の入札販売者端末からの懸賞入札販売情報を受取った後、前記懸賞入札販売情報に応じた1又は複数の事業者端末からの入札申込み情報を受信し、落札結果を入札した前記事業者端末に通知し、落札した懸賞の登録を指示する懸賞入札管理処理手段と、
落札した懸賞を懸賞提供情報として登録する懸賞提供情報登録処理手段と、
前記顧客端末からの懸賞希望者問合せに応じる懸賞受付窓口サイトを、落札した前記事業者のサイトへリンク設定するリンク設定管理処理手段と、
前記リンク設定後、前記管理サーバが予め設定された条件に基づき前記事業者端末への前記リンク設定解除予告をした後、リンク設定解除を通知し、前記事業者のサイトへのリンク設定解除を行うリンク管理処理手段と、
を有することを特徴とする懸賞提供情報を利用したビジネス促進システム。
【請求項２】
前記管理サーバが、
前記事業者のサイトへのリンク設定解除後または設定期間ごとに、落札した前記事業者端末に対しての、入札代金の支払い請求と、及び／又は、前記事業者のサイト内での顧客端末からのサービス利用成果に応じたリンクの管理サーバへの利用料の支払い請求を出力する料金管理処理手段を、
含むことを特徴とする請求項１に記載の懸賞提供情報を利用したビジネス促進システム。
【請求項３】
前記懸賞入札管理処理手段が、前記懸賞の入札販売者端末からの前記懸賞入札販売情報を受取った後、前記懸賞入札販売情報を複数の事業者端末に通知する入札販売通知手段を、
含むことを特徴とする請求項１または２に記載の懸賞提供情報を利用したビジネス促進システム。
【請求項４】
懸賞の入札販売者端末と、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進方法であって、
懸賞の入札販売者端末からの懸賞入札販売情報を前記リンクの管理サーバが受信するステップと、
前記懸賞入札販売情報に応じた1又は複数の事業者端末からの入札申込み情報を受信し、落札結果を入札した事業者端末に通知するステップと、
前記落札した懸賞を懸賞提供情報として登録し、前記顧客端末からの懸賞希望者問合せに応じる懸賞受付窓口サイトを、落札した前記事業者のサイトへリンク設定するステップと、
前記リンク設定後、前記管理サーバが、予め設定された条件に基づき前記事業者端末へのリンク設定解除予告をした後、リンク設定解除を通知し、前記事業者のサイトへのリンク設定解除を行うステップと、
を有することを特徴とする懸賞提供情報を利用したビジネス促進方法。
【請求項５】
前記事業者のサイトへのリンク設定解除後または設定期間ごとに、前記管理サーバが、落札した前記事業者端末に対しての入札代金の支払い請求と、及び／又は、前記事業者のサイト内での顧客端末からのサービス利用成果に応じたリンクの管理サーバへの利用料の支払い請求を出力するステップ
を含むことを特徴とする請求項４に記載の懸賞提供情報を利用したビジネス促進方法。
【請求項６】
前記管理サーバが懸賞入札販売情報を受取った後、前記懸賞入札販売情報を複数の事業者端末に出力するステップ
を含むことを特徴とする請求項４または５に記載の懸賞提供情報を利用したビジネス促進方法。
【請求項７】
懸賞の入札販売者端末と、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進システムであって、
前記管理サーバは、
入札販売者端末からの懸賞入札販売情報を受信し、前記事業者端末からの購入価格を含む入札申込み情報を受信し、予め設定された条件で前記事業者端末からの入札を締切り、前記入札申込価格が入札希望最低価格を超え落札の場合、前記入札販売者端末及び前記落札した事業者端末へその結果を出力し、前記落札した懸賞の登録を指示する懸賞入札管理処理手段と、
前記落札した懸賞を前記懸賞提供情報として登録する懸賞提供情報登録処理手段と、
前記顧客端末からの懸賞希望問合せに応じた懸賞受付窓口サイトを、落札した前記事業者のサイトへリンク設定するリンク設定管理処理手段と、
前記リンク設定後、前記管理サーバが、予め設定された条件に基づき前記事業者端末への前記リンク設定解除予告をした後、リンク設定解除を通知し、前記事業者のサイトへのリンク設定解除を行うリンク管理処理手段と、
を有することを特徴とする懸賞提供情報を利用したビジネス促進システム。
【請求項８】
前記管理サーバが、
前記事業者のサイトへのリンク設定解除後または設定期間ごとに、入札販売者端末に対する入札料金の支払通知と、及び／又は、落札した前記事業者端末に対する、前記事業者のサイト内での顧客端末からのサービス利用成果に応じたリンクの管理サーバへの利用料の支払い請求通知を出力する料金管理処理手段
を含むことを特徴とする請求項７に記載の懸賞提供情報を利用したビジネス促進システム。
【請求項９】
前記懸賞入札管理処理手段が、前記懸賞の入札販売者端末からの前記懸賞入札販売情報を受取った後、前記懸賞入札販売情報を複数の事業者端末に通知する入札販売通知手段
を含むことを特徴とする請求項７または８に記載の懸賞提供情報を利用したビジネス促進システム。
【請求項１０】
懸賞の入札販売者端末と、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進方法であって、
懸賞の入札販売者端末からの懸賞入札販売情報を前記リンクの管理サーバが受信するステップと、
前記事業者端末からの購入価格を含む入札申込み情報を受信するステップと、
予め設定された条件で前記事業者端末からの入札を締切り、前記入札申込価格が入札希望最低価格を超え落札の場合、前記入札販売者端末及び前記落札した事業者端末へその結果を送信し、前記落札した懸賞の登録を指示するステップと、
前記懸賞を登録するステップと、
前記顧客端末からの懸賞希望問合せに応じる懸賞受付窓口サイトを、落札した事業者のサイトへリンク設定するステップと、
前記リンク設定後、
前記管理サーバが予め設定された条件に基づき前記事業者端末への前記リンク設定解除予告をした後、リンク設定解除を通知し、前記事業者のサイトへのリンク設定解除を行うステップと、
を有することを特徴とする懸賞提供情報を利用したビジネス促進方法。
【請求項１１】
前記事業者のサイトへのリンク設定後または設定期間ごとに、前記管理サーバが、入札販売者端末に対する入札料金の支払通知と、及び／又は、落札した前記事業者端末に対する、前記事業者サイト内での顧客端末からのサービス利用成果に応じたリンクの管理サーバへの利用料の支払い請求通知を出力するステップ、
を含むことを特徴とする請求項１０に記載の懸賞提供情報を利用したビジネス促進方法。
【請求項１２】
前記管理サーバが懸賞入札販売情報を受取った後、前記懸賞入札販売情報を複数の事業者端末に出力するステップ
を含むことを特徴とする請求項１０または１１に記載の懸賞提供情報を利用したビジネス促進方法。
【請求項１３】
入札販売事業者端末と、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進システムであって、
前記管理サーバは、
予め登録されている入札販売事業者サイトからの懸賞購入によって懸賞提供情報の取得を処理する懸賞入札購入管理処理手段と、
前記懸賞提供情報を登録する懸賞提供情報登録処理手段と、
前記顧客端末からの懸賞希望者問合せに応じる懸賞受付窓口サイトを、前記事業者のサイトへリンク設定するリンク設定管理処理手段と、
前記リンク設定後、前記管理サーバが、予め設定された条件に基づき落札した前記事業者端末へのリンク設定解除予告をした後、リンク設定解除を通知し、前記事業者のサイトへのリンク設定解除を行うリンク管理処理手段と、
を有することを特徴とする懸賞提供情報を利用したビジネス促進システム。
【請求項１４】
前記管理サーバが、
前記事業者のサイトへのリンク設定解除後または設定期間ごとに、前記事業者端末に対して、入札販売事業者への前記落札の代金の支払い請求通知と、及び／又は、前記事業者のサイト内での顧客端末からのサービス利用成果に応じた利用料の支払い請求通知を出力する料金管理処理手段と、
を含むことを特徴とする請求項１３に記載の懸賞提供情報を利用したビジネス促進システム。
【請求項１５】
入札販売事業者端末と、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進方法であって、
前記事業者端末から前記リンクの管理サーバを通じ、予め登録してある入札販売事業者サイトからの落札購入によって前記懸賞提供情報を取得するステップと、
前記懸賞提供情報を前記管理サーバが登録するステップと、
前記管理サーバが、前記懸賞提供情報を登録後、前記顧客端末からの懸賞希望者問合せに応じる懸賞受付窓口サイトを、前記事業者のサイトへリンク設定するステップと、
前記リンク設定後、前記管理サーバが、予め設定された条件に基づき前記事業者端末への前記リンク設定解除予告をした後、リンク設定解除を通知し、前記事業者のサイトへのリンク設定解除を行うステップと、
を有することを特徴とする懸賞提供情報を利用したビジネス促進方法。
【請求項１６】
前記事業者のサイトへのリンク設定解除後または設定期間ごとに、前記管理サーバが、落札した前記事業者端末に対して、入札販売事業者端末への前記落札の代金の支払い請求通知と、及び／又は、前記事業者のサイト内での顧客端末からのサービス利用成果に応じた利用料の支払い請求通知を出力するステップ
を含むことを特徴とする請求項１５に記載の懸賞提供情報を利用したビジネス促進方法。
【発明の詳細な説明】
【技術分野】
【０００１】
この発明は、景品、サービス等の懸賞の提供情報を利用したビジネス促進システム及びその方法に関する。
【背景技術】
【０００２】
従来、ウェブサイトへのアクセス促進にゲーム等を利用したものは見られる。例えば、ウェブホームページのメニュー閲覧、提供商品、及び提供情報の販売促進効果を上げるものとして、会員（消費者）によるウェブホームページのメニュー閲覧、商品購入、及び情報提供に一定または重み付けしたポイントを付与し、さらにこのポイントをスロットマシン、トランプなどのゲームをもって、増加または減点して付与する方法、及びそのための通信システムの技術が開示されている（特許文献１参照）。
【０００３】
また、顧客が、携帯電話を用いてキャンペーンサイトにアクセスし、店舗コードと自己のメールアドレスを入力すると、キャンペーンサイトでは、当選くじ付きゲームが実行され当選メールが当選者に送信される。これによって、顧客の電子メールアドレスと店舗コードを対応付けた情報が蓄積される。利用者から電子メールアドレスを収集し、データベース化する顧客管理システムの開示もある（特許文献２参照）。
【特許文献１】特開２００１−２４３３７６号公報（第１頁  要約及び選択図）
【特許文献２】特開２００３−６４２０号公報（第１頁  要約及び選択図）
【発明の開示】
【発明が解決しようとする課題】
【０００４】
しかしながら、上記の従来のものにあっては、ゲームなどのアクセス吸引力を活用してアクセス・購入などの促進を図る以上のものではない。また、サイト管理者すなわちリンクの管理サーバの管理者または事業者がそのサイトを自らの負担で運営している。
【０００５】
本発明は、事業者にもサイト管理者にも負担が合理的であり、顧客に魅力的なビジネス促進システム及びその方法を提供することを課題とする。
【課題を解決するための手段】
【０００６】
上記課題を解決するため、本発明では、以下のような手段をとる。なお、以下に記載するコンピュータシステムは、複数のコンピュータ、及び、それらのコンピュータ間をつなぐネットワークを含むものである。
【０００７】
懸賞とは、あるものを募り、また人や物を探すために掛けられた商品、サービスや賞金をいう。さらに、懸賞提供情報とは、商品又はサービス等の提供情報を示す。具体的には、商品又はサービス等の内容、利用期限、数量、場合により写真等を示す商品明細を含む。
【０００８】
管理サーバは、サイトの管理者が直接または間接に管理可能なサーバをいい、１つのサーバで構成される場合のみならず、各処理手段、各データベースの機能をいくつかのサーバに分散して持たせることも可能であり、後者の場合においては、これらのサーバの集合したものを管理サーバと呼ぶ。
【０００９】
予め設定された条件とは、設定時間経過、懸賞在庫の終了、ページビュウのカウント数（ＰＶＣ）、バナーのクリックのカウント数（ＢＣＣ）、のいずれか１つまたは複数の条件をいう。
【００１０】
事業者サイト内での閲覧及び懸賞提供情報問合せの利用には、閲覧、問合せのみならず、その後の、懸賞への参加、商品またはサービスの購入、視聴、例えば、アンケート回答等のマーケティング参加を含む。
【００１１】
事業者端末は、事業者が直接または間接に管理可能な携帯端末であって、携帯電話をも含むコンピュータ端末である。
【００１２】
顧客端末は、顧客が直接または間接に管理可能な携帯端末であって、携帯電話をも含むコンピュータ端末である。
【００１３】
リンク設定とは、懸賞受付窓口サイトにバナー広告を貼り付けることである。
【００１４】
請求項１記載の発明は、懸賞の入札販売者端末と、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進システムであって、管理サーバは、懸賞の入札販売者端末からの懸賞入札販売情報を受取った後、懸賞入札販売情報に応じた1又は複数の事業者端末からの入札申込み情報を受信し、落札結果を入札した事業者端末に通知し、落札懸賞を登録する懸賞入札管理処理手段と、落札した懸賞を懸賞提供情報として登録する懸賞提供情報登録処理手段と、顧客端末からの懸賞希望者問合せに応じる懸賞受付窓口サイトを、落札した事業者のサイトへリンク設定するリンク設定管理処理手段と、リンク設定後、管理サーバが予め設定された条件に基づき事業者端末へのリンク設定解除予告をした後、リンク設定解除を通知し、事業者のサイトへのリンク設定解除を行うリンク管理処理手段と、を有することを特徴とする。
【００１５】
これによって、入札販売者端末から入力された懸賞入札販売情報を管理サーバは受信し、登録でき、さらに、上記の懸賞入札販売情報に応じた１又は複数の事業者端末からの入札申込み情報を受信できる。そして、管理サーバは落札した結果を入札した事業者端末に通知し、落札した懸賞を登録できる。さらに、管理サーバは事業者端末からのリンクを許可し、リンクサービスを開始でき、事業者によって予め設定された条件に到達すると、リンク設定解除を予告し、その後、リンク設定解除を通知し、リンク終了とすることができる。このため、事業者にもサイト管理者にも負担が合理的であり、顧客に魅力的なビジネス促進システムを実現できる。
【００１６】
請求項２記載の発明は、管理サーバが、事業者のサイトへのリンク設定解除後または設定期間ごとに、落札した事業者端末に対しての、入札代金の支払い請求と、及び／又は、事業者のサイト内での顧客端末からのサービス利用成果に応じたリンクの管理サーバへの利用料の支払い請求を出力する料金管理処理手段を、含むことを特徴とする。
【００１７】
これによって、請求項１記載の発明に料金管理を行う手段を追加することで、管理サーバは事業者端末に対し、入札代金の支払い請求と、及び／又は、顧客端末からのサービス利用成果に応じた料金の支払いを請求することができる。このため、事業者にもサイト管理者にも負担が合理的であり、顧客に魅力的なビジネス促進システムを実現できる。
【００１８】
請求項３記載の発明は、懸賞入札管理処理手段が、懸賞の入札販売者端末からの懸賞入札販売情報を受取った後、懸賞入札販売情報を複数の事業者端末に通知する入札販売通知手段を、含むことを特徴とする。
【００１９】
これによって、懸賞入札管理処理手段は、入札販売者端末からの懸賞入札販売情報を受信後、その懸賞入札販売情報を複数の事業者端末に通知することができる。このため、事業者にもサイト管理者にも負担が合理的であり、顧客に魅力的なビジネス促進システムを実現できる。
【００２０】
請求項４記載の発明は、懸賞の入札販売者端末と、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進方法であって、懸賞の入札販売者端末からの懸賞入札販売情報をリンクの管理サーバが受信するステップと、懸賞入札販売情報に応じた１又は複数の事業者端末からの入札申込み情報を受信し、落札結果を入札した事業者端末に通知するステップと、落札した懸賞を懸賞提供情報として登録し、顧客端末からの懸賞希望者問合せに応じる懸賞受付窓口サイトを、落札した事業者のサイトへリンク設定するステップと、リンク設定後、管理サーバが、予め設定された条件に基づき事業者端末へのリンク設定解除予告をした後、リンク設定解除を通知し、事業者のサイトへのリンク設定解除を行うステップと、を有することを特徴とする。
【００２１】
これによって、入札販売者端末から入力された懸賞入札販売情報を管理サーバは受信し、登録でき、さらに、上記の懸賞入札販売情報に応じた１又は複数の事業者端末からの入札申込み情報を受信できる。そして、管理サーバは落札した結果を入札した事業者端末に通知し、落札した懸賞を登録できる。さらに、管理サーバは事業者端末からのリンクを許可し、リンクサービスを開始でき、事業者によって予め設定された条件に到達すると、リンク設定解除を予告し、その後、リンク設定解除を通知し、リンク終了とすることができる。このため、事業者にもサイト管理者にも負担が合理的であり、顧客に魅力的なビジネス促進方法を実現できる。
【００２２】
請求項５記載の発明は、事業者のサイトへのリンク設定解除後または設定期間ごとに、管理サーバが、落札した事業者端末に対しての入札代金の支払い請求と、及び／又は、事業者のサイト内での顧客端末からのサービス利用成果に応じたリンクの管理サーバへの利用料の支払い請求を出力するステップを含むことを特徴とする。
【００２３】
これによって、請求項４記載の発明に料金管理を行うステップを追加することで、管理サーバは事業者端末に対し、入札代金の支払い請求と、及び／又は、顧客端末からのサービス利用成果に応じた料金の支払いを請求することができる。このため、事業者にもサイト管理者にも負担が合理的であり、顧客に魅力的なビジネス促進方法を実現できる。
【００２４】
請求項６記載の発明は、管理サーバが懸賞入札販売情報を受取った後、懸賞入札販売情報を複数の事業者端末に出力するステップを含むことを特徴とする。
【００２５】
これによって、管理サーバは、入札販売者端末からの懸賞入札販売情報を受信後、その懸賞入札販売情報を複数の事業者端末に通知することができる。このため、事業者にもサイト管理者にも負担が合理的であり、顧客に魅力的なビジネス促進方法を実現できる。
【００２６】
なお、上述の請求項１乃至６に記載の発明は、後述の第１実施形態に対応する。
【００２７】
請求項７記載の発明は、懸賞の入札販売者端末と、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進システムであって、管理サーバは、入札販売者端末からの懸賞入札販売情報を受信し、事業者端末からの購入価格を含む入札申込み情報を受信し、予め設定された条件で事業者端末からの入札を締切り、入札申込価格が入札希望最低価格を超え落札の場合、入札販売者端末及び落札した事業者端末へその結果を出力し、落札した懸賞の登録を指示する懸賞入札管理処理手段と、落札した懸賞を懸賞提供情報として登録する懸賞提供情報登録処理手段と、顧客端末からの懸賞希望問合せに応じた懸賞受付窓口サイトを、落札した事業者のサイトへリンク設定するリンク設定管理処理手段と、リンク設定後、管理サーバが、予め設定された条件に基づき事業者端末へのリンク設定解除予告をした後、リンク設定解除を通知し、事業者のサイトへのリンク設定解除を行うリンク管理処理手段と、を有することを特徴とする。
【００２８】
これによって、入札販売者端末から入力された懸賞入札販売情報を管理サーバは受信し、さらに、上記の懸賞入札販売情報に応じた事業者端末からの購入価格を含む入札申込み情報を受信できる。そして、管理サーバは、予め設定された条件で入札を締め切り、入札申込価格が入札希望最低価格を超え落札した場合、入札販売者端末及び落札した事業者端末へその結果を通知し、落札した懸賞を登録できる。管理サーバは、顧客端末からの懸賞希望者問合せに応じる懸賞受付窓口サイトを、落札した事業者のサイトへリンク設定する。その後、管理サーバは事業者のリンクを許可し、リンクサービスを開始できる。事業者によって予め設定された条件に到達すると、リンク設定解除を予告し、その後、リンク設定解除を通知し、リンク終了とすることができる。このため、事業者にもサイト管理者にも負担が合理的であり、顧客に魅力的なビジネス促進システムを実現できる。
【００２９】
請求項８記載の発明は、管理サーバが、事業者のサイトへのリンク設定解除後または設定期間ごとに、入札販売者端末に対する入札料金の支払通知と、及び／又は、落札した事業者端末に対する、事業者のサイト内での顧客端末からのサービス利用成果に応じたリンクの管理サーバへの利用料の支払い請求通知を出力する料金管理処理手段を含むことを特徴とする。
【００３０】
これによって、請求項７記載の発明に料金管理を行う手段を追加することで、管理サーバは、入札販売者端末に対する入札料金の支払通知と、及び／又は、落札した事業者端末に対し、顧客端末からのサービス利用成果に応じた料金の支払いを請求することができる。このため、事業者にもサイト管理者にも負担が合理的であり、顧客に魅力的なビジネス促進システムを実現できる。
【００３１】
請求項９記載の発明は、懸賞入札管理処理手段が、懸賞の入札販売者端末からの懸賞入札販売情報を受取った後、懸賞入札販売情報を複数の事業者端末に通知する入札販売通知手段を含むことを特徴とする。
【００３２】
これによって、懸賞入札管理処理手段は、入札販売者端末からの懸賞入札販売情報を受信後、その懸賞入札販売情報を複数の事業者端末に通知することができる。このため、事業者にもサイト管理者にも負担が合理的であり、顧客に魅力的なビジネス促進システムを実現できる。
【００３３】
請求項１０記載の発明は、懸賞の入札販売者端末と、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進方法であって、懸賞の入札販売者端末からの懸賞入札販売情報をリンクの管理サーバが受信するステップと、事業者端末からの購入価格を含む入札申込み情報を受信するステップと、予め設定された条件で事業者端末からの入札を締切り、入札申込価格が入札希望最低価格を超え落札の場合、入札販売者端末及び落札した事業者端末へその結果を送信し、落札した懸賞の登録を指示するステップと、懸賞を登録するステップと、顧客端末からの懸賞希望問合せに応じる懸賞受付窓口サイトを、落札した事業者のサイトへリンク設定するステップと、リンク設定後、管理サーバが予め設定された条件に基づき事業者端末へのリンク設定解除予告をした後、リンク設定解除を通知し、事業者のサイトへのリンク設定解除を行うステップと、を有することを特徴とする。
【００３４】
これによって、入札販売者端末から入力された懸賞入札販売情報を管理サーバは受信し、さらに、上記の懸賞入札販売情報に応じた事業者端末からの購入価格を含む入札申込み情報を受信できる。そして、管理サーバは、予め設定された条件で入札を締め切り、入札申込価格が入札希望最低価格を超え落札した場合、入札販売者端末及び落札した事業者端末へその結果を通知し、落札した懸賞を登録できる。管理サーバは、顧客端末からの懸賞希望者問合せに応じる懸賞受付窓口サイトを、落札した事業者のサイトへリンク設定する。その後、管理サーバは事業者のリンクを許可し、リンクサービスを開始できる。事業者によって予め設定された条件に到達すると、リンク設定解除を予告し、その後、リンク設定解除を通知し、リンク終了とすることができる。このため、事業者にもサイト管理者にも負担が合理的であり、顧客に魅力的なビジネス促進方法を実現できる。
【００３５】
請求項１１記載の発明は、事業者のサイトへのリンク設定後または設定期間ごとに、管理サーバが、入札販売者端末に対する入札料金の支払通知と、及び／又は、落札した事業者端末に対する、事業者サイト内での顧客端末からのサービス利用成果に応じたリンクの管理サーバへの利用料の支払い請求通知を出力するステップ、を含むことを特徴とする。
【００３６】
これによって、請求項１０記載の発明に料金管理を行うステップを追加することで、管理サーバは、入札販売者端末に対する入札料金の支払通知と、及び／又は、落札した事業者端末に対し、顧客端末からのサービス利用成果に応じた料金の支払いを請求することができる。このため、事業者にもサイト管理者にも負担が合理的であり、顧客に魅力的なビジネス促進方法を実現できる。
【００３７】
請求項１２記載の発明は、管理サーバが懸賞入札販売情報を受取った後、懸賞入札販売情報を複数の事業者端末に出力するステップを含むことを特徴とする。
【００３８】
これによって、管理サーバは、入札販売者端末からの懸賞入札販売情報を受信後、その懸賞入札販売情報を複数の事業者端末に通知することができる。このため、事業者にもサイト管理者にも負担が合理的であり、顧客に魅力的なビジネス促進方法を実現できる。
【００３９】
なお、上述の請求項７乃至１２に記載の発明は、後述の第２実施形態に対応する。
【００４０】
請求項１３記載の発明は、入札販売事業者端末と、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進システムであって、管理サーバは、予め登録されている入札販売事業者サイトからの懸賞購入によって懸賞提供情報の取得を処理する懸賞入札購入管理処理手段と、懸賞提供情報を登録する懸賞提供情報登録処理手段と、顧客端末からの懸賞希望者問合せに応じる懸賞受付窓口サイトを、事業者のサイトへリンク設定するリンク設定管理処理手段と、リンク設定後、管理サーバが、予め設定された条件に基づき落札した事業者端末へのリンク設定解除予告をした後、リンク設定解除を通知し、事業者のサイトへのリンク設定解除を行うリンク管理処理手段と、を有することを特徴とする。
【００４１】
これによって、予め登録されている入札販売事業者サイトからの懸賞購入によって懸賞提供情報を取得でき、管理サーバは落札した懸賞を登録できる。管理サーバは、顧客端末からの懸賞希望者問合せに応じる懸賞受付窓口サイトを、落札した事業者のサイトへリンク設定する。その後、事業者のリンクを許可し、リンクサービスを開始できる。事業者によって予め設定された条件に到達すると、リンク設定解除を予告し、その後、リンク設定解除を通知し、リンク終了とすることができる。このため、事業者にもサイト管理者にも負担が合理的であり、顧客に魅力的なビジネス促進システムを実現できる。
【００４２】
請求項１４記載の発明は、管理サーバが、事業者のサイトへのリンク設定解除後または設定期間ごとに、事業者端末に対して、入札販売事業者への落札の代金の支払い請求通知と、及び／又は、事業者のサイト内での顧客端末からのサービス利用成果に応じた利用料の支払い請求通知を出力する料金管理処理手段と、を含むことを特徴とする。
【００４３】
これによって、請求項１３記載の発明に料金管理を行う手段を追加することで、管理サーバは、事業者端末に対して、入札販売事業者への落札の代金の支払い請求通知と、及び／又は、落札した事業者端末に対し、顧客端末からのサービス利用成果に応じた料金の支払いを請求することができる。このため、事業者にもサイト管理者にも負担が合理的であり、顧客に魅力的なビジネス促進システムを実現できる。
【００４４】
請求項１５記載の発明は、入札販売事業者端末と、懸賞提供情報による集客を利用する事業者端末と、その懸賞提供情報を利用する顧客端末と、リンクの管理サーバとを含むコンピュータシステムにより、取引を促進する懸賞提供情報を利用したビジネス促進方法であって、事業者端末からリンクの管理サーバを通じ、予め登録してある入札販売事業者サイトからの落札購入によって懸賞提供情報を取得するステップと、懸賞提供情報を管理サーバが登録するステップと、管理サーバが、懸賞提供情報を登録後、顧客端末からの懸賞希望者問合せに応じる懸賞受付窓口サイトを、事業者のサイトへリンク設定するステップと、リンク設定後、管理サーバが、予め設定された条件に基づき事業者端末へのリンク設定解除予告をした後、リンク設定解除を通知し、事業者のサイトへのリンク設定解除を行うステップと、を有することを特徴とする。
【００４５】
これによって、予め登録されている入札販売事業者サイトからの懸賞購入によって懸賞提供情報を取得でき、管理サーバは落札した懸賞を登録できる。管理サーバは、顧客端末からの懸賞希望者問合せに応じる懸賞受付窓口サイトを、落札した事業者のサイトへリンク設定する。その後、事業者のリンクを許可し、リンクサービスを開始できる。事業者によって予め設定された条件に到達すると、リンク設定解除を予告し、その後、リンク設定解除を通知し、リンク終了とすることができる。このため、事業者にもサイト管理者にも負担が合理的であり、顧客に魅力的なビジネス促進方法を実現できる。
【００４６】
請求項１６記載の発明は、事業者のサイトへのリンク設定解除後または設定期間ごとに、管理サーバが、落札した事業者端末に対して、入札販売事業者端末への落札の代金の支払い請求通知と、及び／又は、事業者のサイト内での顧客端末からのサービス利用成果に応じた利用料の支払い請求通知を出力するステップを含むことを特徴とする。
【００４７】
これによって、請求項１５記載の発明に料金管理を行うステップを追加することで、管理サーバは、事業者端末に対して、入札販売事業者への落札の代金の支払い請求通知と、及び／又は、落札した事業者端末に対し、顧客端末からのサービス利用成果に応じた料金の支払いを請求することができる。このため、事業者にもサイト管理者にも負担が合理的であり、顧客に魅力的なビジネス促進方法を実現できる。
【００４８】
なお、上述の請求項１３乃至１６に記載の発明は、後述の第３実施形態に対応する。
【発明の効果】
【００４９】
本発明の懸賞提供情報を利用したビジネス促進システムまたは方法によると、ウェブサイト上に掲載された魅力的な懸賞を多くの顧客が選択することにより、多数の顧客がその懸賞を提供した事業者等のウェブサイトに誘導される。その結果、その事業者のウェブサイトは顧客から閲覧される機会が増え、事業者のビジネス促進効果が高まる。また、事業者にもサイト管理者にも負担が合理的であるビジネス促進システムまたは方法を実現できる。
【発明を実施するための最良の形態】
【００５０】
以下本発明の実施形態を図面を参照しつつ詳細に説明する。なお、以下に記載する実施形態で、景品を扱う場合の例を記載しているが、景品とは、懸賞で定義される中の１例をここでは示しており、サービスや賞金に置き換え適用することもできる。この場合、サービスや賞金を扱う機能を明示したいのであれば、各構成の処理部と記憶部の各名称中の景品の語を、サービスや賞金に置き換えて明示することができる。また、景品、サービス、賞金のいずれかまたはいくつかを扱う機能を明確とするには、各構成の処理部と記憶部の各名称中の景品の語を、懸賞とすることが望ましい。
【００５１】
また、以下の各実施形態で示す懸賞提供情報登録処理手段が、懸賞提供情報を登録した場合、懸賞は懸賞受付窓口サイトに掲示される。
【００５２】
（第１実施形態）
まず、第１実施形態について図１乃至図８を参照して説明する。図１は、第１実施形態のシステム構成図であり、これに基づいて、システム構成例の概要を説明する。懸賞提供情報を利用したビジネス促進システムは、懸賞提供情報による集客を利用する事業者の事業者端末１０と、その懸賞提供情報を利用する顧客の顧客端末３０これは顧客携帯端末３１であってもよい、と懸賞を競売で提供する入札販売者端末６０とが、リンクの管理者の管理サーバ２０にインターネット等のネットワーク５０で相互通信可能に接続されるシステムである。なお、懸賞は入札販売者端末６０だけでなく、管理サーバ２０もまた提供することができる。
【００５３】
ここでの管理サーバ２０は、
（１）住所、氏名、電話番号、電子メールアドレス等の顧客情報を登録する顧客管理処理手段Ｍ７０と、
（２）懸賞の入札販売者端末６０からの懸賞入札販売情報を受け取った後、懸賞入札販売情報を複数の事業者端末１０に出力し、懸賞入札販売情報に応じた１又は複数の事業者端末１０からの入札申込み情報を受信し、落札結果を入札した事業者端末１０に通知し、落札した懸賞の登録を指示する懸賞入札管理処理手段Ｍ７１と、
（３）落札した懸賞を懸賞提供情報として登録する懸賞提供情報登録処理手段Ｍ７２と、
（４）顧客端末３０からの懸賞希望者問合せに応じる懸賞受付窓口サイトを、落札した事業者のサイトへリンク設定するリンク設定管理処理手段Ｍ７３と、
（５）リンク設定後、管理サーバ２０が予め設定された条件に基づき事業者端末１０へのリンク設定解除予告をした後、リンク設定解除を通知し、事業者のサイトへのリンク設定解除を行うリンク管理処理手段Ｍ７４と、
（６）事業者のサイトへのリンク設定解除後または設定期間ごとに、落札した事業者の事業者端末１０に対して、入札代金の支払い請求と、及び／又は、事業者のサイト内での顧客端末３０からのサービス利用成果に応じた利用料の支払い請求を行う料金管理処理手段Ｍ７５と、
それぞれの手段Ｍ７０，Ｍ７１，Ｍ７２，Ｍ７３，Ｍ７４，Ｍ７５に対応するデータベースＤ７０，Ｄ７１，Ｄ７２，Ｄ７３，Ｄ７４，Ｄ７５を有している。ここでデータベースＤ７０，Ｄ７１，Ｄ７２，Ｄ７３，Ｄ７４，Ｄ７５は、それぞれの手段Ｍ７０，Ｍ７１，Ｍ７２，Ｍ７３、Ｍ７４，Ｍ７５と、ここでは便宜上分離して示したが、手段内の一要素とすることも出来る。
【００５４】
次に、上記の各手段とそのデータベースの構成をその作用とともに順次説明する。
【００５５】
図２は、管理サーバ２０内の顧客管理処理手段Ｍ７０とそのデータベースＤ７０、懸賞入札管理処理手段Ｍ７１とそのデータベースＤ７１の構成を示す構成図である。
【００５６】
まず、入札販売者は提供を行う懸賞情報を入札販売者端末６０に入力する。入札景品受付管理処理部ｍ７１０１は、入札販売者端末６０からの入札景品入力Ｉ７００５を受付け、入札景品受付管理情報記憶部ｄ７１０１に記憶する。これにより、管理サーバ２０内に競売用の懸賞情報が登録される。この懸賞入力情報は、入札景品審査管理処理部ｍ７１０３により、入札景品審査管理情報記憶部ｄ７１０３に予め登録されている審査データを参照して、登録するにふさわしいかを判定する。
【００５７】
入札販売者端末６０から入力された競売用の景品がふさわしくない場合、入札景品審査管理処理部ｍ７１０３は、入札登録不可出力Ｏ７００５を景品提供の入札販売者端末６０に送る。一方で、入札販売者端末６０から入力された競売用の景品がふさわしい場合、入札景品登録管理処理部ｍ７１０５は、その景品の登録データを入札景品登録管理情報記憶部ｄ７１０５に記憶する。
【００５８】
入札参加情報管理処理部ｍ７１０７は、事業者端末１０宛に入札を呼びかける入札参加情報出力Ｏ７００１を出力し、その入札参加情報を入札参加情報管理情報記憶部ｄ７１０７に記憶する。事業者が入札に参加できる時間は入札参加情報タイム管理処理部ｍ７１０９で管理される。なお、入札に参加できる時間は入札参加情報タイム管理情報記憶部ｄ７１０９に記憶されている。
【００５９】
入札に参加意思のある事業者は入札参加時間内に入札参加申込入力Ｉ７００１を送出し、これを入札参加情報受信管理処理部ｍ７１１１が受付け、入札参加情報受信管理情報記憶部ｄ７１１１に記憶する。そして、入札参加情報登録管理処理部ｍ７１１３は、入札参加申込みのあった事業者を登録し、入札参加情報登録管理情報記憶部ｄ７１１３に記憶する。さらに、入札参加情報積算管理処理部ｍ７１１５は、入札参加情報登録管理情報記憶部ｄ７１１３に記憶された事業者を積算し、入札参加情報積算管理情報記憶部ｄ７１１５に記憶する。
【００６０】
入札参加管理処理部ｍ７１１７は、入札参加情報積算管理情報記憶部ｄ７１１５に記憶された入札参加事業者を、入札申込情報出力Ｏ７００７として入札販売者端末６０宛に送出し、入札参加管理情報記憶部ｄ７１１７に記憶する。なお、入札景品登録解除管理処理部ｍ７１１９は事業者端末１０からの入札がなく、成立しなかった場合に、入札中止登録解除出力Ｏ７００９を送出し、景品登録を解除する。さらに、その内容を入札景品登録解除管理情報記憶部ｄ７１１９に記憶する。
【００６１】
入札販売者端末６０が入札申込情報を受信すると、入札販売者は１又は複数の事業者端末１０を落札と決定し、入札結果情報入力Ｉ７００３として送出する。入札結果情報受信管理処理部ｍ７１２１はその入札結果情報入力Ｉ７００３を受信し、入札結果情報受信管理情報記憶部ｄ７１２１に記憶する。
【００６２】
入札結果情報登録管理処理部ｍ７１２３は、入札結果情報に含まれる落札した事業者を入札結果情報管理情報記憶部ｄ７１２３に登録し、記憶するとともに、事業者端末１０宛に入札結果情報出力Ｏ７００３を出力する。
【００６３】
落札景品懸賞登録指示管理処理部ｍ７１２５は、入札結果情報登録管理処理部ｍ７１２３の入札結果登録処理完了信号を受けて、落札景品懸賞指示信号を、落札景品懸賞登録指示管理情報記憶部ｄ７１２５に記憶するとともに、この信号を次の懸賞提供情報登録処理手段Ｍ７２に出力する。
【００６４】
図３は、懸賞提供情報登録処理手段Ｍ７２とそのデータベースＤ７２の構成を示す構成図である。
【００６５】
落札景品懸賞登録指示管理処理部ｍ７１２５から落札景品懸賞指示信号を落札景品懸賞登録指示受付管理処理部ｍ７２０１が受けて、これを落札景品懸賞登録指示受付管理情報記憶部ｄ７２０１に記憶する。さらに、懸賞景品登録管理処理部ｍ７２０３は、懸賞景品を懸賞景品登録管理情報記憶部ｄ７２０３に記憶する。これにより、管理サーバ２０内に事業者が落札した懸賞用の景品情報が登録される。
【００６６】
景品在庫管理処理部ｍ７２０５は、景品在庫状況を、景品在庫管理情報記憶部ｄ７２０５に記憶し、残数管理を行う。景品利用期限管理処理部ｍ７２０７は、景品利用期限を景品利用期限管理情報記憶部ｄ７２０７に記憶し、その管理を行う。
【００６７】
連続リンク指示管理処理部ｍ７２０９は、景品の在庫と利用期限の状況を参照して、連続リンク指示出力Ｏ７０１０を事業者端末１０宛に発信するとともに、連続リンク指示管理情報記憶部ｄ７２０９に記憶する。なお、連続リンク指示とは景品の在庫が切れたり、事業者が提供する景品の利用期限が切れた場合に、引き続き（連続して）事業者が管理サーバ２０に懸賞用の懸賞情報を掲載するか否かの判断を求める指示である。
【００６８】
落札事業者リンク指示管理処理部ｍ７２１１は、懸賞景品登録管理処理部ｍ７２０３の景品登録処理完了信号を受けて、リンク設定指示信号を、落札事業者リンク指示管理情報記憶部ｄ７２１１に記憶するとともに、この信号を次のリンク設定管理処理手段Ｍ７３に出力する。
【００６９】
図４は、リンク設定管理処理手段Ｍ７３とそのデータベースＤ７３の構成を示す構成図である。
【００７０】
事業者サイト情報登録管理処理部ｍ７３０１は、事業者端末１０からの事業者サイト情報入力Ｉ７００７を受けて、事業者サイト情報登録管理情報記憶部ｄ７３０１に記憶する。落札事業者リンク指示管理処理部ｍ７２１１からリンク設定指示信号を落札事業者リンク指示受付管理処理部ｍ７３０３が受けて、これを落札事業者リンク指示受付管理情報記憶部ｄ７３０３に記憶する。
【００７１】
リンク設定先検索管理処理部ｍ７３０５は、該当事業者のサイトをリンク設定先検索管理情報記憶部ｄ７３０５から検索特定し、顧客端末３０からの懸賞希望者問合せに応じる懸賞受付窓口サイトへリンク設定管理処理部ｍ７３０７によりリンク設定する。このリンク設定の記憶は、リンク設定管理情報記憶部ｄ７３０７に記憶される。これにより、顧客端末３０からの懸賞希望問合せに応じる懸賞受付窓口サイトを、落札した事業者のサイトへリンク設定する。
【００７２】
リンク設定解除指示受付管理処理部ｍ７３０９は、リンク設定解除指示信号を受付けた場合、それをリンク設定解除指示受付管理情報記憶部ｄ７３０９に記憶し、リンク設定解除管理処理部ｍ７３１１が、その特定されたリンクの解除を行い、この状況をリンク設定解除管理情報記憶部ｄ７３１１に記憶する。リンク設定管理処理部ｍ７３０７によりリンク設定された後、リンク指示管理処理部ｍ７３１３は、次のリンク管理処理手段Ｍ７４にリンク指示信号を送る。なお、ここでの、リンク設定管理処理手段Ｍ７３に於けるリンク設定は、スタンバイ状態として、リンク管理処理手段Ｍ７４に知らせ、リンク管理処理手段Ｍ７４からのリンク指示を待つものとしてもよい。
【００７３】
図５は、リンク管理処理手段Ｍ７４とそのデータベースＤ７４の構成を示す構成図である。
【００７４】
リンク指示管理処理部ｍ７３１３からのリンク管理処理手段Ｍ７４へのリンク指示信号を受けて、リンク指示受付管理処理部ｍ７４０１は、これを受付け、リンク指示受付管理情報記憶部ｄ７４０１に記憶する。リンク許可管理処理部ｍ７４０３は、リンク設定後の事業者リンクを許可し、これをリンク許可管理情報記憶部ｄ７４０３に記憶する。これに伴ってリンクサービスが開始される。リンクタイム管理処理部ｍ７４０５は、リンク時間の設定、起算、積算を行い、これをリンクタイム管理情報記憶部ｄ７４０５に記憶する。
【００７５】
広告管理処理部ｍ７４０７は、広告管理情報記憶部ｄ７４０７を参照して、懸賞提供情報を複数の顧客端末３０に懸賞情報メール出力Ｏ７０１１として送出する。閲覧管理処理部ｍ７４０９は、顧客端末３０からの事業者サイト内での閲覧または懸賞提供情報問合せの利用を受付け、これを閲覧管理情報記憶部ｄ７４０９に記憶する。
【００７６】
注文管理処理部ｍ７４１１は、顧客端末３０から受けた注文を注文管理情報記憶部ｄ７４１１に記憶し、商品送付を指令する商品送付出力Ｏ７０１３を送信する。なお、顧客端末３０から受けた注文が不動産広告や求人広告等のサービスに関する問合せに該当する場合、注文管理処理部ｍ７４１１は、物件情報や面接日等の回答を商品送付出力Ｏ７０１３として送信する。視聴管理処理部ｍ７４１３は、視聴サービスの要請を受けて、視聴出力指示出力Ｏ７０１５を送信し、この状況を視聴管理情報記憶部ｄ７４１３に記憶する。なお、事業者サイトを管理するサーバとの交信により、これらの情報を取得することもできる。
【００７７】
マーケティング管理処理部ｍ７４１５は、マーケティング管理情報記憶部ｄ７４１５と共同で、顧客端末３０に対するアンケートなどのマーケティング参加調査を行い、その結果をマーケティング集計結果出力Ｏ７０１７として送出する。懸賞ゲーム管理処理部ｍ７４１７は、懸賞用のゲームをこのシステムが設ける場合の懸賞用のゲームの管理を懸賞用のゲーム管理情報記憶部ｄ７４１７と共同で行う。景品管理処理部ｍ７４１９は、懸賞提供情報登録処理手段Ｍ７２で登録された懸賞の管理処理を総合的に司り、景品送付指示出力Ｏ７０１９を出すとともに、この状況を景品管理情報記憶部ｄ７４１９に記憶する。なお、事業者サイトを管理するサーバとの交信により、これらの情報を取得することもできる。
【００７８】
リンク停止条件管理処理部ｍ７４２５は、リンク停止条件管理情報記憶部ｄ７４２５とともに、予め設定された条件であるリンク停止条件を、総合的に管理する。この実施形態においては、予め設定された条件の一部とされている設定時間経過は、リンクタイム管理処理部ｍ７４０５で、景品在庫の終了については、景品在庫管理処理部ｍ７２０５と景品在庫管理情報記憶部ｄ７２０５で行う。
【００７９】
ページビュウのカウント数（ＰＶＣ）とバナーのクリックのカウント数（ＢＣＣ）については、ＰＶ・ＢＣ設定管理処理部ｍ７４２１でそれぞれのカウント数を設定し、ＰＶ・ＢＣ設定管理情報記憶部ｄ７４２１に記憶する。また、ＰＶ・ＢＣ積算管理処理部ｍ７４２３でこれらをカウントし積算して、ＰＶ・ＢＣ積算管理情報記憶部ｄ７４２３に記憶する。これらの予め設定された条件は、いずれか１つまたは複数の条件でもよい。なお、事業者サイトを管理するサーバとの交信により、ページビュウのカウント数（ＰＶＣ）とバナーのクリックのカウント数（ＢＣＣ）を取得することもできる。
【００８０】
リンク停止条件は、図７に基づき後述するように周期的にチェックされる。連続リンク管理処理部ｍ７４２７は、連続リンク管理情報記憶部ｄ７４２７と協働して再提供商品確認出力Ｏ７０２１を該当事業者サイトの事業者端末１０に出す。リンク停止指示管理処理部ｍ７４２９は、リンク設定解除を確認し、リンク終了出力Ｏ７０２３を送出し、この状況をリンク停止指示管理情報記憶部ｄ７４２９に記憶する。これにより、管理サーバ２０は事業者端末１０へのリンクサービスの設定解除を予告した後、リンク設定解除を通知し、事業者のリンクは終了となる。
【００８１】
事業者のリンクが終了すると、リンク設定解除指示管理処理部ｍ７４３１は、リンク設定管理処理手段Ｍ７３のリンク設定解除指示受付管理処理部ｍ７３０９にリンク設定解除指示信号を与え、リンク設定解除指示管理情報記憶部ｄ７４３１は、この状況を記憶する。リンク設定管理処理手段Ｍ７３のリンク設定解除管理処理部ｍ７３１１が、リンク設定を解除する。料金精算指示管理処理部ｍ７４３３は、料金精算指示管理情報記憶部ｄ７４３３と協働して、図６の料金管理処理手段Ｍ７５に料金精算指示信号を与える。なお、料金精算指示管理処理部ｍ７４３３は、事業者サイトのリンク設定解除後だけでなく、週単位、あるいは１０日などの設定された期間ごとに、図６の料金管理処理手段Ｍ７５に料金精算指示信号を与えるようにすることができ、それによって期間ごとの精算を確実に行うことも望ましい。
【００８２】
図６は、料金管理処理手段Ｍ７５とそのデータベースＤ７５の構成を示す構成図である。
【００８３】
料金精算指示管理処理部ｍ７４３３からの料金精算指示信号を料金精算指示受付管理処理部ｍ７５０１が受け、これを料金精算指示受付管理情報記憶部ｄ７５０１に記憶する。それぞれの利用料金は、その性格に応じて、次の各管理処理部で行われる。
【００８４】
広告売上げ代金は、事業者別広告売上代金積算管理処理部ｍ７５０３で処理され、事業者別広告売上代金積算管理情報記憶部ｄ７５０３に記憶される。注文売上げ代金は、事業者別注文売上代金積算管理処理部ｍ７５０５で処理され、事業者別注文売上代金積算管理情報記憶部ｄ７５０５に記憶される。閲覧売上げ代金は、事業者別閲覧売上代金積算管理処理部ｍ７５０７で処理され、事業者別閲覧売上代金積算管理情報記憶部ｄ７５０７に記憶される。マーケティング利用代金は、事業者別マーケティング利用代金積算管理処理部ｍ７５０９で処理され、事業者別マーケティング利用代金積算管理情報記憶部ｄ７５０９に記憶される。
【００８５】
各事業者サイトの売上げは、事業者別サイト売上合計管理処理部ｍ７５１１で処理され、事業者別サイト売上合計管理情報記憶部ｄ７５１１に記憶される。各事業者の利用料は、上記の該当する処理部と情報記憶部から事業者別利用料計算管理処理部ｍ７５１３で計算され、事業者別利用料計算管理情報記憶部ｄ７５１３に記憶される。各事業者の落札料金は、上記の該当する処理部と情報記憶部から事業者別落札料金計算管理処理部ｍ７５１５で計算され、事業者別落札料金計算管理情報記憶部ｄ７５１５に記憶される。
【００８６】
事業者別利用料・落札料金請求管理処理部ｍ７５１７は、事業者別利用料・落札料金請求出力Ｏ７０２５を該当する事業者端末１０宛に送出する。これは、事業者別利用料・落札料金請求管理情報記憶部ｄ７５１７に記憶される。これにより、事業者がリンクを終了させた場合、管理サーバ２０は事業者端末１０に対して、顧客端末３０からのサービス利用成果に応じた利用料及び落札料金の支払請求を行う。具体的には、顧客が懸賞受付窓口サイトに掲載された懸賞をクリックすると、リンク設定された事業者サイトに更新される。事業者サイトのページビュウのカウントやバナークリックのカウントが増加すると、利用成果は増加する。事業者別利用料・落札料金入金管理処理部ｍ７５１９は、事業者端末１０からの入金があった場合、事業者別利用料・落札料金請求管理情報記憶部ｄ７５１７の記憶と対照し、その結果を、事業者別利用料・落札料金入金管理情報記憶部ｄ７５１９に記憶する。なお、上述した支払請求及び入金確認については、クレジットカード決済や電子マネー決済等の決済手段でも行うことができる。
【００８７】
次に図７の懸賞受付窓口サイトへの再リンク手順を示すフローチャートに基づき、連続リンク指示管理処理部ｍ７２０９と連続リンク管理処理部ｍ７４２７における懸賞受付窓口サイトへの再リンク機能を説明する。
【００８８】
リンクタイム管理処理部ｍ７４０５から出される間欠的信号に基づき、ステップＳ１で、リンク許可確認指示信号を出す。ステップＳ２で、最終景品利用期限が終了しているか否かを判定する。ＮＯ（否）であれば、次のステップＳ４で、ページビューの設定カウント数（設定ＰＶ）またはバナークリックの設定カウント数（設定ＢＣ）が超過しているか否かを判定する。ＮＯ（否）であれば、次のステップＳ５で、景品在庫が終了しているか否かを判定する。ＮＯ（否）であれば、次のステップＳ６で、設定時間が終了しているか否かを判定する。ＮＯ（否）であれば、次のステップＳ７に移行する。ここまでの各ステップのいずれかで、ＹＥＳ（終了・超過）であれば、ステップＳ１０で連続リンク条件確認指示信号を出力し、ステップＳ１１で、連続リンク用景品登録が完了しているか否かを判定する。ＮＯ（否）であれば、ステップＳ１２でリンク停止指示を出す。ＹＥＳ（登録完了）であれば、ステップＳ１に戻る。
【００８９】
ステップＳ７では、設定時間終了まで２４時間あるか否かを判定する。ＮＯ（否）であれば、次のステップＳ８で、設定ＰＶまたは設定ＢＣが８０％超過しているか否かを判定する。ＮＯ（否）であれば、次のステップＳ９で、景品在庫が残り１か否かを判定する。ＮＯ（否）であれば、ステップＳ１に戻る。
【００９０】
もしステップＳ７，Ｓ８，Ｓ９のいずれかの判定が、ＹＥＳであれば、ステップＳ１３で連続リンク確認指示信号をリンクしている事業者端末１０に送る。また、ステップＳ７，Ｓ８，Ｓ９のいずれかの判定が、ＹＥＳであってもステップＳ１に戻る。これによって、リンクしている事業者が、連続リンク用景品登録を行わない限り、いずれにしてもステップＳ１１の判定はＮＯとなり、ステップＳ１１で、リンク停止指示が出されることになる。
【００９１】
上記の懸賞受付窓口サイトへの再リンク機能は、後述する実施形態においても採用されており、この図７に基づく説明は、そのまま後述する実施形態に適用できるものである。
【００９２】
次に図８の懸賞受付窓口サイト７０と事業者のサイト７４，７６，７８との概念図に基づいて、顧客端末３０からの懸賞希望者問合せに応じる懸賞受付窓口サイト７０を事業者に割り当て、事業者のサイト７４，７６，７８へリンク設定する場合について説明する。図８に示す例では、懸賞提供情報登録処理手段が、懸賞提供情報を登録した場合、懸賞は懸賞受付窓口サイトに掲示される。
【００９３】
この例では、懸賞受付窓口サイト７０には、事業者端末１０から提供された懸賞提供情報、ここでは景品、ａ、ｂ、ｃ、ｄ、ｅ、ｆ、ｇ、ｈ、ｉが、並んで表示され、この窓口に問い合わせた顧客のクリック信号によって、景品表示、例えばａ、ｂ、ｉとリンクされた各事業者のＡ店サイト７４、Ｂ店サイト７６、Ｉ店サイト７８が、表示される。
【００９４】
この図８に基づく上記の説明は、後述する実施形態においても適用できるものである。
【００９５】
（第２実施形態）
次に、第２実施形態について図９乃至図１４を参照して説明する。図９は、第２実施形態のシステム構成図であり、これに基づいて、システム構成例の概要を説明する。懸賞提供情報を利用したビジネス促進システムは、懸賞提供情報による集客を利用する事業者の事業者端末１０と、その懸賞提供情報を利用する顧客の顧客端末３０これは顧客携帯端末３１であってもよい、と懸賞を競売で提供する入札販売者端末６０とが、リンクの管理サーバ２０にインターネット等のネットワーク５０で相互通信可能に接続されるシステムである。なお、懸賞は入札販売者端末６０だけでなく、管理サーバ２０もまた提供することができる。
【００９６】
ここでの管理サーバ２０は、
（１）住所、氏名、電話番号、電子メールアドレス等の顧客情報を登録する顧客管理処理手段Ｍ１２０と、
（２）入札販売者端末６０からの懸賞入札販売情報を受信し、懸賞入札販売情報を複数の事業者端末１０に出力し、事業者端末１０からの購入価格を含む入札申込み情報を受信し、予め設定された条件で事業者端末１０からの入札を締切り、入札申込価格が入札希望最低価格を超え落札の場合、入札販売者端末６０及び前記落札した事業者端末１０へその結果を出力し、落札の懸賞の登録を指示する懸賞入札管理処理手段Ｍ１２１と、
（３）落札した懸賞を懸賞提供情報として登録する懸賞提供情報登録処理手段Ｍ１２２と、
（４）顧客端末３０からの懸賞希望者問合せに応じた懸賞受付窓口サイトを、落札した事業者のサイトへリンク設定するリンク設定管理処理手段Ｍ１２３と、
（５）リンク設定後、管理サーバ２０が、予め設定された条件に基づき事業者端末１０へのリンク設定解除予告をした後、リンク設定解除を通知し、事業者のサイトへのリンク設定解除を行うリンク管理処理手段Ｍ１２４と、
（６）事業者のサイトへのリンク設定解除後または設定期間ごとに、入札販売者端末６０に対する入札料金の支払通知と、及び／又は、落札した事業者端末１０に対する、事業者のサイト内での顧客端末３０からのサービス利用成果に応じた利用料の支払い請求通知を出力する料金管理処理手段Ｍ１２５と、
それぞれの手段Ｍ１２０，Ｍ１２１，Ｍ１２２，Ｍ１２３、Ｍ１２４、Ｍ１２５に対応するデータベースＤ１２０，Ｄ１２１，Ｄ１２２，Ｄ１２３，Ｄ１２４，Ｄ１２５を有している。ここでデータベースＤ１２０，Ｄ１２１，Ｄ１２２，Ｄ１２３，Ｄ１２４、Ｄ１２５は、それぞれの手段Ｍ１２０，Ｍ１２１，Ｍ１２２，Ｍ１２３、Ｍ１２４、Ｍ１２５と、ここでは便宜上分離して示したが、手段内の一要素とすることも出来る。
【００９７】
次に、上記の各手段とそのデータベースの構成をその作用とともに順次説明する。
【００９８】
図１０は、管理サーバ２０内の顧客管理処理手段Ｍ１２０とそのデータベースＤ１２０、懸賞入札管理処理手段Ｍ１２１とそのデータベースＤ１２１の構成を示す構成図である。
【００９９】
まず、入札販売者は提供を行う懸賞情報を入札販売者端末６０に入力する。入札景品受付管理処理部ｍ１２１０１は、入札販売者端末６０からの入札景品入力Ｉ１２００３を受付け、入札景品受付管理情報記憶部ｄ１２１０１に記憶する。これにより、管理サーバ２０内に競売用の景品情報が登録される。この景品入力情報は、入札景品審査管理処理部ｍ１２１０３により、入札景品審査管理情報記憶部ｄ１２１０３に予め登録されている審査データを参照して、登録するにふさわしいかを判定する。
【０１００】
入札販売者端末６０から入力された競売用の景品がふさわしくない場合、入札景品審査管理処理部ｍ１２１０３は、入札登録不可出力Ｏ１２００５を懸賞提供の入札販売者端末６０に送る。一方で、入札販売者端末６０から入力された競売用の景品がふさわしい場合、入札景品登録管理処理部ｍ１２１０５は、その景品の登録データを入札景品登録管理情報記憶部ｄ１２１０５に記憶する。
【０１０１】
入札参加情報管理処理部ｍ１２１０７は、事業者端末１０宛に入札を呼びかける入札参加情報出力Ｏ１２００１を出力し、その入札参加情報を入札参加情報管理情報記憶部ｄ１２１０７に記憶する。事業者が入札に参加できる時間は入札参加情報タイム管理処理部ｍ１２１０９で管理される。なお、入札に参加できる時間は入札参加情報タイム管理情報記憶部ｄ１２１０９に記憶されている。
【０１０２】
入札に参加意思のある事業者は入札参加時間内に事業者端末１０から入札参加申込入力Ｉ１２００１を送出し、これを入札参加情報受信管理処理部ｍ１２１１１が受付け、入札参加情報受信管理情報記憶部ｄ１２１１１に記憶する。そして、入札参加情報登録管理処理部ｍ１２１１３は、入札参加申込みのあった事業者を登録し、入札参加情報登録管理情報記憶部ｄ１２１１３に記憶する。さらに、入札参加情報積算管理処理部ｍ１２１１５は、入札参加情報登録管理情報記憶部ｄ１２１１３に記憶された事業者を積算し、入札参加情報積算管理情報記憶部ｄ１２１１５に記憶する。
【０１０３】
入札審査情報登録管理処理部ｍ１２１２１は、予め管理者によって登録される、景品の審査情報を処理し、入札審査情報登録管理情報記憶部ｄ１２１２１に記憶する。入札管理処理部ｍ１２１１７は、事業者端末１０からの入札参加情報の積算処理が終了すると、開札処理を行い、開札処理情報を入札管理情報記憶部ｄ１２１１７に記憶する。
【０１０４】
入札審査管理処理部ｍ１２１１９は、入札審査情報登録管理情報記憶部ｄ１２１２１に記憶された審査情報に基づき開札結果情報を作成し、それを入札結果情報出力Ｏ１２００３として、入札販売者端末６０及び１または複数の事業者端末１０宛に出力し、その状況を入札審査管理情報記憶部ｄ１２１１９に記憶する。
【０１０５】
入札景品登録解除管理処理部ｍ１２１２３は事業者端末１０からの入札が成立しなかった場合、入札中止登録解除出力Ｏ１２００７を送出し、景品登録を解除する。さらに、その内容を入札景品登録解除管理情報記憶部ｄ１２１２３に記憶する。
【０１０６】
落札景品懸賞登録指示管理処理部ｍ１２１２５は、入札審査情報登録管理処理部ｍ１２１２１の入札審査登録処理完了信号を受けて、落札景品懸賞指示信号を、落札景品懸賞登録指示管理情報記憶部ｄ１２１２５に記憶するとともに、この信号を次の懸賞提供情報登録処理手段Ｍ１２２に出力する。
【０１０７】
図１１は、懸賞提供情報登録処理手段Ｍ１２２とそのデータベースＤ１２２の構成を示す構成図である。
【０１０８】
落札景品懸賞登録指示管理処理部ｍ１２１２５から落札景品懸賞指示信号を落札景品懸賞登録指示受付管理処理部ｍ１２２０１が受けて、これを落札景品懸賞登録指示受付管理情報記憶部ｄ１２２０１に記憶する。さらに、懸賞景品登録管理処理部ｍ１２２０３は、懸賞景品を懸賞景品登録管理情報記憶部ｄ１２２０３に記憶する。これにより、管理サーバ２０内に事業者が落札した懸賞用の景品情報が登録される。
【０１０９】
景品在庫管理処理部ｍ１２２０５は、景品在庫状況を、景品在庫管理情報記憶部ｄ１２２０５に記憶し、残数管理を行う。景品利用期限管理処理部ｍ１２２０７は、景品利用期限を景品利用期限管理情報記憶部ｄ１２２０７に記憶し、その管理を行う。
【０１１０】
連続リンク指示管理処理部ｍ１２２０９は、景品の在庫と利用期限の状況を参照して、連続リンク指示出力Ｏ１２００４を事業者端末１０宛に発信するとともに、連続リンク指示管理情報記憶部ｄ１２２０９に記憶する。なお、連続リンク指示とは懸賞の在庫が切れたり、事業者が提供する懸賞の利用期限が切れた場合に、引き続き（連続して）事業者が管理サーバ２０に懸賞用の懸賞情報を掲載するか否かの判断も求める指示である。
【０１１１】
落札事業者リンク設定指示管理処理部ｍ１２２１１は、懸賞景品登録管理処理部ｍ１２２０３の景品登録処理完了信号を受けて、リンク設定指示信号を、落札事業者リンク設定指示管理情報記憶部ｄ１２２１１に記憶するとともに、この信号を次のリンク設定管理処理手段Ｍ１２３に出力する。
【０１１２】
図１２は、リンク設定管理処理手段Ｍ１２３とそのデータベースＤ１２３の構成を示す構成図である。
【０１１３】
事業者サイト情報登録管理処理部ｍ１２３０１は、事業者端末１０からの事業者サイト情報の入力Ｉ１２００５を受けて、事業者サイト情報登録管理情報記憶部ｄ１２３０１に記憶する。落札事業者リンク設定指示管理処理部ｍ１２２１１からリンク設定指示信号を落札事業者リンク指示受付管理処理部ｍ１２３０３が受けて、これを落札事業者リンク指示受付管理情報記憶部ｄ１２３０３に記憶する。
【０１１４】
リンク設定先検索管理処理部ｍ１２３０５は、該当事業者のサイトをリンク設定先検索管理情報記憶部ｄ１２３０５から検索特定し、顧客端末３０からの懸賞希望者問合せに応じる懸賞受付窓口サイトへリンク設定管理処理部ｍ１２３０７によりリンク設定する。このリンク設定の記憶は、リンク設定管理情報記憶部ｄ１２３０７に記憶される。これにより、顧客端末３０からの懸賞希望問合せに応じる懸賞受付窓口サイトを、落札した事業者のサイトへリンク設定する。
【０１１５】
リンク設定解除指示受付管理処理部ｍ１２３０９は、リンク設定解除指示信号を受付けた場合、それをリンク設定解除指示受付管理情報記憶部ｄ１２３０９に記憶し、リンク設定解除管理処理部ｍ１２３１１が、その特定されたリンクの解除を行い、この状況をリンク設定解除管理情報記憶部ｄ１２３１１に記憶する。リンク設定管理処理部ｍ１２３０７によりリンク設定された後、リンク指示管理処理部ｍ１２３１３は、次のリンク管理処理手段Ｍ１２４にリンク指示信号を送る。なお、ここでの、リンク設定管理処理手段Ｍ１２３に於けるリンク設定は、スタンバイ状態として、リンク管理処理手段Ｍ１２４に知らせ、リンク管理処理手段Ｍ１２４からのリンク指示を待つものとしてもよい。
【０１１６】
図１３は、リンク管理処理手段Ｍ１２４とそのデータベースＤ１２４の構成を示す構成図である。
【０１１７】
リンク指示管理処理部ｍ１２３１３からのリンク管理処理手段Ｍ１２４へのリンク指示信号を受けて、リンク指示受付管理処理部ｍ１２４０１は、これを受付け、リンク指示受付管理情報記憶部ｄ１２４０１に記憶する。リンク許可管理処理部ｍ１２４０３は、リンク設定後の事業者のリンクを許可し、これをリンク許可管理情報記憶部ｄ１２４０３に記憶する。これに伴ってリンクサービスが開始される。リンクタイム管理処理部ｍ１２４０５は、リンク時間の設定、起算、積算を行い、これをリンクタイム管理情報記憶部ｄ１２４０５に記憶する。
【０１１８】
広告管理処理部ｍ１２４０７は、広告管理情報記憶部ｄ１２４０７を参照して、懸賞提供情報を複数の顧客端末３０に懸賞情報メール出力Ｏ１２００９として送出する。閲覧管理処理部ｍ１２４０９は、顧客端末３０からの事業者サイト内での閲覧または懸賞提供情報問合せの利用を受付け、これを閲覧管理情報記憶部ｄ１２４０９に記憶する。
【０１１９】
注文管理処理部ｍ１２４１１は、顧客端末３０から受けた注文を注文管理情報記憶部ｄ１２４１１に記憶し、商品送付を指令する商品送付出力Ｏ１２０１１を送信する。なお、顧客端末３０から受けた注文が不動産広告や求人広告等のサービスに関する問合せに該当する場合、注文管理処理部ｍ１２４１１は、物件情報や面接日等の回答を商品送付出力Ｏ１２０１１として送信する。視聴管理処理部ｍ１２４１３は、視聴サービスの要請を受けて、視聴出力指示出力Ｏ１２０１３を送信し、この状況を視聴管理情報記憶部ｄ１２４１３に記憶する。なお、事業者サイトを管理するサーバとの交信により、これらの情報を取得することもできる。
【０１２０】
マーケティング管理処理部ｍ１２４１５は、マーケティング管理情報記憶部ｄ１２４１５と協働で、顧客端末３０に対するアンケートなどのマーケティング参加調査を行い、その結果をマーケティング集計結果出力Ｏ１２０１５として送出する。懸賞ゲーム管理処理部ｍ１２４１７は、懸賞用のゲームをこのシステムが設ける場合の懸賞用のゲームの管理を懸賞用のゲーム管理情報記憶部ｄ１２４１７と協働で行う。景品管理処理部ｍ１２４１９は、懸賞提供情報登録処理手段Ｍ１２２で登録された懸賞の管理処理を総合的に司り、景品送付指示出力Ｏ１２０１７を出すとともに、この状況を景品管理情報記憶部ｄ１２４１９に記憶する。なお、事業者サイトを管理するサーバとの交信により、これらの情報を取得することもできる。
【０１２１】
リンク停止条件管理処理部ｍ１２４２５は、リンク停止条件管理情報記憶部ｄ１２４２５とともに、予め設定された条件であるリンク停止条件を、総合的に管理する。この実施形態においては、予め設定された条件の一部とされている設定時間経過は、リンクタイム管理処理部ｍ１２４０５で、懸賞在庫の終了については、景品在庫管理処理部ｍ１２２０５と景品在庫管理情報記憶部ｄ１２２０５で行う。
【０１２２】
ページビュウのカウント数（ＰＶＣ）とバナーのクリックのカウント数（ＢＣＣ）については、ＰＶ・ＢＣ設定管理処理部ｍ１２４２１でそれぞれのカウント数を設定し、ＰＶ・ＢＣ設定管理情報記憶部ｄ１２４２１に記憶する。また、ＰＶ・ＢＣ積算管理処理部ｍ１２４２３でこれらをカウントし積算して、ＰＶ・ＢＣ積算管理情報記憶部ｄ１２４２３に記憶する。これらの予め設定された条件は、いずれか１つまたは複数の条件でもよい。なお、事業者サイトを管理するサーバとの交信により、ページビュウのカウント数（ＰＶＣ）とバナーのクリックのカウント数（ＢＣＣ）を取得することもできる。
【０１２３】
リンク停止条件は、図７に基づき上述するように周期的にチェックされる。連続リンク管理処理部ｍ１２４２７は、連続リンク管理情報記憶部ｄ１２４２７と協働して再提供商品確認出力Ｏ１２０１９を事業者端末１０に出す。リンク停止指示管理処理部ｍ１２４２９は、リンク終了を確認し、リンク終了出力Ｏ１２０２１を送出し、この状況をリンク停止指示管理情報記憶部ｄ１２４２９に記憶する。これにより、管理サーバ２０は事業者端末１０へのリンクサービスの設定解除を予告した後、リンク設定解除を通知し、事業者のリンクは終了となる。
【０１２４】
事業者のリンクが終了すると、リンク設定解除指示管理処理部ｍ１２４３１は、リンク設定管理処理手段Ｍ１２３のリンク設定解除指示受付管理処理部ｍ１２３０９にリンク設定解除指示信号を与え、リンク設定解除指示管理情報記憶部ｄ１２４３１は、この状況を記憶する。リンク設定管理処理手段Ｍ１２３のリンク設定解除管理処理部ｍ１２３１１が、リンク設定を解除する。料金精算指示管理処理部ｍ１２４３３は、料金精算指示管理情報記憶部ｄ１２４３３と協働して、図１４の料金管理処理手段Ｍ１２５に料金精算指示を与える。なお、料金精算指示管理処理部ｍ１２４３３は、事業者サイトのリンク設定解除後だけでなく、週単位、あるいは１０日などの設定された期間ごとに、図１４の料金管理処理手段Ｍ１２５に料金精算指示信号を与えるようにすることができ、それによって期間ごとの精算を確実に行うことも望ましい。
【０１２５】
図１４は、料金管理処理手段Ｍ１２５とそのデータベースＤ１２５の構成を示す構成図である。
【０１２６】
料金精算指示管理処理部ｍ１２４３３からの料金精算指示信号を料金精算指示受付管理処理部ｍ１２５０１が受け、これを料金精算指示受付管理情報記憶部ｄ１２５０１に記憶する。それぞれの利用料金は、その性格に応じて、次の各管理処理部で行われる。
【０１２７】
広告売上げ代金は、事業者別広告売上代金積算管理処理部ｍ１２５０３で処理され、事業者別広告売上代金積算管理情報記憶部ｄ１２５０３に記憶される。注文売上げ代金は、事業者別注文売上代金積算管理処理部ｍ１２５０５で処理され、事業者別注文売上代金積算管理情報記憶部ｄ１２５０５に記憶される。閲覧売上げ代金は、事業者別閲覧売上代金積算管理処理部ｍ１２５０７で処理され、事業者別閲覧売上代金積算管理情報記憶部ｄ１２５０７に記憶される。マーケティング利用代金は、事業者別マーケティング利用代金積算管理処理部ｍ１２５０９で処理され、事業者別マーケティング利用代金積算管理情報記憶部ｄ１２５０９に記憶される。
【０１２８】
各事業者サイトの売上げは、事業者別サイト売上合計管理処理部ｍ１２５１１で処理され、事業者別サイト売上合計管理情報記憶部ｄ１２５１１に記憶される。各事業者の利用料は、上記の該当する処理部と情報記憶部から事業者別利用料計算管理処理部ｍ１２５１３で計算され、事業者別利用料計算管理情報記憶部ｄ１２５１３に記憶される。各事業者の落札料金は、上記の該当する処理部と情報記憶部から事業者別落札料金計算管理処理部ｍ１２５１５で計算され、事業者別落札料金計算管理情報記憶部ｄ１２５１５に記憶される。
【０１２９】
事業者別利用料・落札料金請求管理処理部ｍ１２５１７は、事業者別利用料・落札料金請求出力Ｏ１２０２３を該当する事業者端末１０宛に送出する。これは、事業者別利用料・落札料金請求管理情報記憶部ｄ１２５１７に記憶される。これにより、事業者がリンクを終了させた場合、管理サーバ２０は事業者端末１０に対して、顧客端末３０からのサービス利用成果に応じた利用料及び落札料金の支払請求を行う。具体的には、顧客が懸賞受付窓口サイトに掲載された懸賞をクリックすると、リンク設定された事業者サイトに更新される。事業者サイトのページビュウのカウントやバナークリックのカウントが増加すると、利用成果は増加する。事業者別利用料・落札料金入金管理処理部ｍ１２５１９は、事業者端末１０からの入金があった場合、事業者別利用料・落札料金請求管理情報記憶部ｄ１２５１７の記憶と対照し、その結果を、事業者別利用料・落札料金入金管理情報記憶部ｄ１２５１９に記憶する。なお、上述した支払請求及び入金確認については、クレジットカード決済や電子マネー決済等の決済手段でも行うことができる。
【０１３０】
（第３実施形態）
次に、第３実施形態について図１５乃至図２０を参照して説明する。図１５は、第３実施形態のシステム構成図であり、これに基づいて、システム構成例の概要を説明する。懸賞提供情報を利用したビジネス促進システムは、懸賞提供情報による集客を利用する事業者の事業者端末１０と、その懸賞提供情報を利用する顧客の顧客端末３０これは顧客携帯端末３１であってもよい、が、リンクの管理サーバ２０にインターネット等のネットワーク５０で相互通信可能に接続されるシステムである。なお、懸賞は管理サーバ２０もまた提供することができる。
【０１３１】
ここでの管理サーバ２０は、
（１）住所、氏名、電話番号、電子メールアドレス等の顧客情報を登録する顧客管理処理手段Ｍ１３０と、
（２）予め登録されている入札販売事業者サイトからの懸賞購入によって懸賞提供情報の取得を処理する懸賞入札購入管理処理手段Ｍ１３１と、
（３）懸賞提供情報を登録する懸賞提供情報登録処理手段Ｍ１３２と、
（４）顧客端末３０からの懸賞希望者問合せに応じる懸賞受付窓口サイトを、事業者のサイトへリンク設定するリンク設定管理処理手段Ｍ１３３と、
（５）リンク設定後、管理サーバ２０が、予め設定された条件に基づき事業者端末１０へのリンク設定解除予告をした後、リンク設定解除を通知し、事業者のサイトへのリンク設定解除を行うリンク管理処理手段Ｍ１３４と、
（６）事業者のサイトへのリンク設定解除後または設定期間ごとに、事業者端末１０に対して、入札販売者への落札の代金の支払い請求通知と、及び／又は、事業者のサイト内での顧客端末３０からのサービス利用成果に応じた利用料の支払い請求を行う料金管理処理手段Ｍ１３５と、
それぞれの手段Ｍ１３０，Ｍ１３１，Ｍ１３２，Ｍ１３３、Ｍ１３４、Ｍ１３５に対応するデータベースＤ１３０，Ｄ１３１，Ｄ１３２，Ｄ１３３，Ｄ１３４、Ｄ１３５を有している。ここでデータベースＤ１３０，Ｄ１３１，Ｄ１３２，Ｄ１３３，Ｄ１３４，Ｄ１３５は、それぞれの手段Ｍ１３０，Ｍ１３１，Ｍ１３２，Ｍ１３３、Ｍ１３４，Ｍ１３５と、ここでは便宜上分離して示したが、手段内の一要素とすることも出来る。
【０１３２】
次に、上記の各手段とそのデータベースの構成をその作用とともに順次説明する。
【０１３３】
図１６は、管理サーバ２０内の顧客管理処理手段Ｍ１３０とそのデータベースＤ１３０、懸賞入札購入管理処理手段Ｍ１３１とそのデータベースＤ１３１の構成を示す構成図である。
【０１３４】
入札店舗閲覧管理処理部ｍ１３１０１は、事業者端末１０からの入札店舗選択入力Ｉ１３００２を受付け、これを入札店舗閲覧管理情報記憶部ｄ１３１０１に記憶する。これにより、事業者は複数の入札販売事業者のうち、どの入札販売事業者の店舗から購入するかを閲覧できる。
【０１３５】
入札参加店舗選択管理処理部ｍ１３１０３は、事業者が複数の入札販売事業者のうちどの入札販売事業者から購入するかを選択でき、事業者が選択した入札販売事業者は入札参加店舗選択管理情報記憶部ｄ１３１０３に記憶される。
【０１３６】
事業者が入札参加店舗を決定後、入札景品閲覧管理処理部ｍ１３１０５は、事業者端末１０からの入札景品選択入力Ｉ１３００４を受付け、これを入札景品閲覧管理情報記憶部ｄ１３１０５に記憶する。これにより、入札店舗内に掲載される複数の景品のうち、事業者はどの景品を入札申込みするかを閲覧できる。
【０１３７】
入札景品選択管理処理部ｍ１３１０７は、複数の景品の中から１又は複数の景品を事業者に選択させ、入札景品選択管理情報記憶部ｄ１３１０７に記憶させる。事業者は入札を行う店舗およびその店舗の景品を決定すると、事業者端末１０から入札参加申込入力Ｉ１３００１を送出し、入札申込情報受信管理処理部ｍ１３１０９は、これを受け、入札申込情報受信管理情報記憶部ｄ１３１０９に記憶する。さらに、入札申込情報登録管理処理部ｍ１３１１１は、入札参加申込みのあった事業者の登録処理を行い、入札申込情報登録管理情報記憶部ｄ１３１１１に記憶する。
【０１３８】
入札審査管理処理部ｍ１３１１３は、事業者端末１０からの入札申込みを基に、入札の審査を行い、入札審査管理情報記憶部ｄ１３１１３に記憶する。入札の審査が終了すると、入札結果情報管理処理部ｍ１３１１５は、入札結果情報出力Ｏ１３００１を少なくとも入札販売事業者と入札者に出力し、入札結果情報管理情報記憶部ｄ１３１１５に記憶する。
【０１３９】
景品登録指示管理処理部ｍ１３１１７は、入札結果情報管理処理部ｍ１３１１５の入札処理完了信号を受けて、景品登録指示信号を、景品登録指示管理情報記憶部ｄ１３１１７に記憶するとともに、この信号を次の懸賞提供情報登録処理手段Ｍ１３２に出力する。
【０１４０】
図１７は、管理サーバ２０内の懸賞提供情報処理手段Ｍ１３２とそのデータベースＤ１３２の構成を示す構成図である。
【０１４１】
景品登録指示管理処理部ｍ１３１１７からの懸賞提供情報登録処理手段Ｍ１３２への景品購入処理完了信号を受けて、景品登録指示受付管理処理部ｍ１３２０１は、これを受付け、景品登録指示受付管理情報記憶部ｄ１３２０１に記憶する。さらに、景品登録受付管理処理部ｍ１３２０３は、懸賞情報を景品登録受付管理情報記憶部ｄ１３２０３に記憶する。これにより、管理サーバ２０内に懸賞用の景品情報が登録される。この景品入力情報は、景品審査管理処理部ｍ１３２０５により、景品審査管理情報記憶部ｄ１３２０５に予め登録されている審査データを参照して、登録するにふさわしいかを判定する。
【０１４２】
事業者端末１０によって入札販売事業者サイトから購入された懸賞用の景品がふさわしくない場合、景品審査管理処理部ｍ１３２０５は、景品登録不可出力Ｏ１３００３を懸賞提供の事業者端末１０に送る。一方で、事業者端末１０によって入札販売事業者サイトから購入された懸賞用の景品がふさわしい場合、景品登録管理処理部ｍ１３２０７は、その景品の登録データを景品登録管理情報記憶部ｄ１３２０７に記憶する。
【０１４３】
景品在庫管理処理部ｍ１３２０９は、景品在庫状況を、景品在庫管理情報記憶部ｄ１３２０９に記憶し、残数管理を行う。景品利用期限管理処理部ｍ１３２１１は、景品利用期限を景品利用期限管理情報記憶部ｄ１３２１１に記憶し、その管理を行う。
【０１４４】
連続リンク指示管理処理部ｍ１３２１３は、景品の在庫と利用期限の状況を参照して、連続リンク指示出力Ｏ１３００４を事業者端末１０に発信するとともに、連続リンク指示管理情報記憶部ｄ１３２１３に記憶する。なお、連続リンク指示とは景品の在庫が切れたり、事業者が提供する景品の利用期限が切れた場合に、引き続き（連続して）事業者が管理サーバ２０に懸賞用の景品情報を掲載するか否かの判断も求める指示である。
【０１４５】
景品登録事業者リンク指示管理処理部ｍ１３２１５は、景品登録管理処理部ｍ１３２０７の景品登録処理完了信号を受けて、リンク設定指示信号を、景品登録事業者リンク指示管理情報記憶部ｄ１３２１５に記憶するとともに、この信号を次のリンク設定管理処理手段Ｍ１３３に出力する。
【０１４６】
図１８は、リンク設定管理処理手段Ｍ１３３とそのデータベースＤ１３３の構成を示す構成図である。
【０１４７】
事業者サイト情報登録管理処理部ｍ１３３０１は、事業者サイト情報入力Ｉ１３００３を受けて、事業者サイト情報登録管理情報記憶部ｄ１３３０１に記憶する。景品登録事業者リンク指示管理処理部ｍ１３２１５からリンク設定指示信号を景品登録事業者リンク指示受付管理処理部ｍ１３３０３が受けて、これを景品登録事業者リンク指示受付管理情報記憶部ｄ１３３０３に記憶する。
【０１４８】
リンク設定先検索管理処理部ｍ１３３０５は、該当事業者のサイトをリンク設定先検索管理情報記憶部ｄ１３３０５から検索特定し、顧客端末３０からの懸賞希望者問合せに応じる懸賞受付窓口サイトへリンク設定管理処理部ｍ１３３０７によりリンク設定する。このリンク設定の記憶は、リンク設定管理情報記憶部ｄ１３３０７に記憶される。これにより、顧客端末３０からの懸賞希望問合せに応じる懸賞受付窓口サイトを、落札した事業者のサイトへリンク設定する。
【０１４９】
リンク設定解除指示受付管理処理部ｍ１３３０９は、リンク設定解除指示信号を受付けた場合、それをリンク設定解除指示受付管理情報記憶部ｄ１３３０９に記憶し、リンク設定解除管理処理部ｍ１３３１１が、その特定されたリンクの解除を行い、この状況をリンク設定解除管理情報記憶部ｄ１３３１１に記憶する。リンク設定管理処理部ｍ１３３０７によりリンク設定された後、リンク指示管理処理部ｍ１３３１３は、次のリンク管理処理手段Ｍ１３４にリンク指示信号を送る。なお、ここでの、リンク設定管理処理手段Ｍ１３３に於けるリンク設定は、スタンバイ状態として、リンク管理処理手段Ｍ１３４に知らせ、リンク管理処理手段Ｍ１３４からのリンク指示を待つものとしてもよい。
【０１５０】
図１９は、リンク管理処理手段Ｍ１３４とそのデータベースＤ１３４の構成を示す構成図である。
【０１５１】
リンク指示管理処理部ｍ１３３１３からのリンク管理処理手段Ｍ１３４へのリンク指示信号を受けて、リンク指示受付管理処理部ｍ１３４０１は、これを受付け、リンク指示受付管理情報記憶部ｄ１３４０１に記憶する。リンク許可管理処理部ｍ１３４０３は、リンク設定後の事業者のリンクを許可し、これをリンク許可管理情報記憶部ｄ１３４０３に記憶する。これに伴ってリンクサービスが開始される。リンクタイム管理処理部ｍ１３４０５は、リンク時間の設定、起算、積算を行い、これをリンクタイム管理情報記憶部ｄ１３４０５に記憶する。
【０１５２】
広告管理処理部ｍ１３４０７は、広告管理情報記憶部ｄ１３４０７を参照して、懸賞提供情報を複数の顧客端末１０に懸賞情報メール出力Ｏ１３００５を送出する。閲覧管理処理部ｍ１３４０９は、顧客端末１０からの事業者サイト内での閲覧または懸賞提供情報問合せの利用を受付け、これを閲覧管理情報記憶部ｄ１３４０９に記憶する。
【０１５３】
注文管理処理部ｍ１３４１１は、顧客端末１０から受けた注文を注文管理情報記憶部ｄ１３４１１に記憶し、商品送付を指令する商品送付出力Ｏ１３００７を送信する。なお、顧客端末３０から受けた注文が不動産広告や求人広告等のサービスに関する問合せに該当する場合、注文管理処理部ｍ１３４１１は、物件情報や面接日等の回答を商品送付出力Ｏ１３００７として送信する。視聴管理処理部ｍ１３４１３は、視聴サービスの要請を受けて、視聴出力指示出力Ｏ１３００９を送信し、この状況を視聴管理情報記憶部ｄ１３４１３に記憶する。なお、事業者サイトを管理するサーバとの交信により、これらの情報を取得することもできる。
【０１５４】
マーケティング管理処理部ｍ１３４１５は、マーケティング管理情報記憶部ｄ１３４１５と協働で、顧客端末１０に対するアンケートなどのマーケティング参加調査を行い、その結果をマーケティング集計結果出力Ｏ１３０１１として送出する。懸賞ゲーム管理処理部ｍ１３４１７は、懸賞用のゲームをこのシステムが設ける場合の懸賞用のゲームの管理を懸賞ゲーム管理情報記憶部ｄ１３４１７と協働で行う。景品管理処理部ｍ１３４１９は、懸賞提供情報登録処理手段Ｍ１３２で登録された景品の管理処理を総合的に司り、景品送付指示出力Ｏ１３０１３を出すとともに、この状況を景品管理情報記憶部ｄ１３４１９に記憶する。なお、事業者サイトを管理するサーバとの交信により、これらの情報を取得することもできる。
【０１５５】
リンク停止条件管理処理部ｍ１３４２５は、リンク停止条件管理情報記憶部ｄ１３４２５とともに、予め設定された条件であるリンク停止条件を、総合的に管理する。この実施形態においては、予め設定された条件の一部とされている設定時間経過は、リンクタイム管理処理部ｍ１３４０５で、景品在庫の終了については、景品在庫管理処理部ｍ１３２０９と景品在庫管理情報記憶部ｄ１３２０９で、行う。
【０１５６】
ページビュウのカウント数（ＰＶＣ）とバナーのクリックのカウント数（ＢＣＣ）については、ＰＶ・ＢＣ設定管理処理部ｍ１３４２１でそれぞれのカウント数を設定し、ＰＶ・ＢＣ設定管理情報記憶部ｄ１３４２１に記憶する。また、ＰＶ・ＢＣ積算管理処理部ｍ１３４２３でこれらをカウントし積算して、ＰＶ・ＢＣ積算管理情報記憶部ｄ１３４２３に記憶する。これらの予め設定された条件は、いずれか１つまたは複数の条件でもよい。なお、事業者サイトを管理するサーバとの交信により、ページビュウのカウント数（ＰＶＣ）とバナーのクリックのカウント数（ＢＣＣ）を取得することもできる。
【０１５７】
リンク停止条件は、上述した図７に基づき周期的にチェックされる。連続リンク管理処理部ｍ１３４２７は、連続リンク管理情報記憶部ｄ１３４２７と協働して再提供商品確認出力Ｏ１３０１５を事業者端末１０に出す。リンク停止指示管理処理部ｍ１３４２９は、リンク終了を確認し、リンク終了出力Ｏ１３０１７を送出し、この状況をリンク停止指示管理情報記憶部ｄ１３４２９に記憶する。これにより、管理サーバ２０は事業者端末１０へのリンクサービスの設定解除を予告した後、設定解除を通知し、事業者のリンクは終了となる。
【０１５８】
事業者のリンクが終了すると、リンク設定解除指示管理処理部ｍ１３４３１は、リンク設定管理処理手段Ｍ１３３にリンク設定解除指示を与え、リンク設定解除指示管理情報記憶部ｄ１３４３１は、この状況を記憶する。リンク設定管理処理手段Ｍ１３３のリンク設定解除管理処理部ｍ１３３１１が、リンク設定を解除する。料金精算指示管理処理部ｍ１３４３３は、料金精算指示管理情報記憶部ｄ１３４３３と協働して、図２０の料金管理処理手段Ｍ１３５に料金精算指示を与える。なお、料金精算指示管理処理部ｍ１３４３３は、事業者サイトのリンク設定解除後だけでなく、週単位、あるいは１０日などの設定された期間ごとに、図２０の料金管理処理手段Ｍ１３５に料金精算指示信号を与えるようにすることができ、それによって期間ごとの精算を確実に行うことも望ましい。
【０１５９】
図２０は、料金管理処理手段Ｍ１３５とそのデータベースＤ１３５の構成を示す構成図である。
【０１６０】
料金精算指示管理処理部ｍ１３４３３からの料金精算指示信号を料金精算指示受付管理処理部ｍ１３５０１が受け、これを料金精算指示受付管理情報記憶部ｄ１３５０１に記憶する。それぞれの利用料金は、その性格に応じて、次の各管理処理部で行われる。
【０１６１】
広告売上げ代金は、広告売上代金積算管理処理部ｍ１３５０３で処理され、広告売上代金積算管理情報記憶部ｄ１３５０３に記憶される。注文売上げ代金は、注文売上代金積算管理処理部ｍ１３５０５で処理され、注文売上代金積算管理情報記憶部ｄ１３５０５に記憶される。閲覧売上げ代金は、閲覧売上代金積算管理処理部ｍ１３５０７で処理され、閲覧売上代金積算管理情報記憶部ｄ１３５０７に記憶される。マーケティング利用代金は、マーケティング利用代金積算管理処理部ｍ１３５０９で処理され、マーケティング利用代金積算管理情報記憶部ｄ１３５０９に記憶される。
【０１６２】
各事業者サイトの売上げは、事業者サイト売上合計管理処理部ｍ１３５１１で処理され、事業者サイト売上合計管理情報記憶部ｄ１３５１１に記憶される。各事業者の利用料は、上記の該当する処理部と情報記憶部から利用料計算管理処理部ｍ１３５１３で計算され、利用料計算管理情報記憶部ｄ１３５１３に記憶される。
【０１６３】
景品落札代金積算管理処理部ｍ１３５１５は、事業者端末１０によって入札販売事業者より購入された景品の代金を集計し、景品落札代金積算管理情報記憶部ｄ１３５１５に記憶する。利用料・景品落札代金請求管理処理部ｍ１３５１７は、利用料・景品落札代金請求出力Ｏ１３０１９を該当する事業者端末１０宛に送出する。これは、利用料・景品落札代金請求管理情報記憶部ｄ１３５１７に記憶される。利用料入金管理処理部ｍ１３５１９は、入金があった場合、利用料・景品落札代金請求管理情報記憶部ｄ１３５１７の記憶と対照し、その結果を、利用料入金管理情報記憶部ｄ１３５１９に記憶する。なお、上述した支払請求及び入金確認については、クレジットカード決済や電子マネー決済等の決済手段でも行うことができる。
【０１６４】
なお、本発明は、料金管理手段による事業者等に対する利用料の支払請求処理をリンクサービス終了後としたが、事業者が本システムを使用する時点において支払請求処理を行い、即時決済とする実施形態とすることもできる。さらに、上述した実施形態に限定されるものではなく、その要旨を逸脱しない範囲内で種々変形して実施することが可能である。
【産業上の利用可能性】
【０１６５】
以上のように、本発明による懸賞提供情報を利用したビジネス促進システム及びその方法は、販売促進によって、商品及びサービスの活用を活発化するのに有用である。
【図面の簡単な説明】
【０１６６】
【図１】本発明による第１実施形態のシステム構成図である。
【図２】図１の第１実施形態における管理サーバ内の顧客管理処理手段，懸賞入札管理処理手段とそれぞれのデータベースの構成を示す構成図である。
【図３】図１の第１実施形態における管理サーバ内の懸賞提供情報登録処理手段とそのデータベースの構成を示す構成図である。
【図４】図１の第１実施形態における管理サーバ内のリンク設定管理処理手段とそのデータベースの構成を示す構成図である。
【図５】図１の第１実施形態における管理サーバ内のリンク管理処理手段とそのデータベースの構成を示す構成図である。
【図６】図１の第１実施形態における管理サーバ内の料金管理処理手段とそのデータベースの構成を示す構成図である。
【図７】図１の第１実施形態における懸賞受付窓口サイトへの再リンク手順を示すフローチャートである。
【図８】図１の第１実施形態における懸賞受付窓口サイトと事業者のサイトとの概念図である。
【図９】本発明による第２実施形態のシステム構成図である。
【図１０】図９の第２実施形態における管理サーバ内の顧客管理処理手段，懸賞入札管理処理手段とそれぞれのデータベースの構成を示す構成図である。
【図１１】図９の第２実施形態における管理サーバ内の懸賞提供情報登録処理手段とそのデータベースの構成を示す構成図である。
【図１２】図９の第２実施形態における管理サーバ内のリンク設定管理処理手段とそのデータベースの構成を示す構成図である。
【図１３】図９の第２実施形態における管理サーバ内のリンク管理処理手段とそのデータベースの構成を示す構成図である。
【図１４】図９の第２実施形態における管理サーバ内の料金管理処理手段とそのデータベースの構成を示す構成図である。
【図１５】本発明による第３実施形態のシステム構成図である。
【図１６】図１５の第３実施形態における管理サーバ内の顧客管理処理手段，懸賞入札購入管理処理手段とそれぞれのデータベースの構成を示す構成図である。
【図１７】図１５の第３実施形態における管理サーバ内の懸賞提供情報登録処理手段とそのデータベースの構成を示す構成図である。
【図１８】図１５の第３実施形態における管理サーバ内のリンク設定管理処理手段とそのデータベースの構成を示す構成図である。
【図１９】図１５の第３実施形態における管理サーバ内のリンク管理処理手段とそのデータベースの構成を示す構成図である。
【図２０】図１５の第３実施形態における管理サーバ内の料金管理処理手段とそのデータベースの構成を示す構成図である。
【符号の説明】
【０１６７】
１０  事業者端末、２０  管理サーバ、３０  顧客端末、３１  顧客携帯端末、５０  ネットワーク、６０  入札販売者端末、Ｍ７０，Ｍ１２０，Ｍ１３０  顧客管理処理手段、Ｍ７１，Ｍ１２１  懸賞入札管理処理手段、Ｍ７２，Ｍ１２２，Ｍ１３２  懸賞提供情報登録処理手段、Ｍ７３，Ｍ１２３，Ｍ１３３  リンク設定管理処理手段、Ｍ７４，Ｍ１２４，Ｍ１３４  リンク管理処理手段、Ｍ７５，Ｍ１２５，Ｍ１３５  料金管理処理手段、Ｍ１３１  懸賞入札購入管理処理手段、Ｄ７０，Ｄ７１，Ｄ７２，Ｄ７３，Ｄ７４，Ｄ７５  データベース、Ｄ１２０，Ｄ１２１，Ｄ１２２，Ｄ１２３，Ｄ１２４，Ｄ１２５  データベース、Ｄ１３０，Ｄ１３１，Ｄ１３２，Ｄ１３３，Ｄ１３４，Ｄ１３５  データベース。
【図１】
2006185181.tif 000003
【図２】
2006185181.tif 000004
【図３】
2006185181.tif 000005
【図４】
2006185181.tif 000006
【図５】
2006185181.tif 000007
【図６】
2006185181.tif 000008
【図７】
2006185181.tif 000009
【図８】
2006185181.tif 000010
【図９】
2006185181.tif 000011
【図１０】
2006185181.tif 000012
【図１１】
2006185181.tif 000013
【図１２】
2006185181.tif 000014
【図１３】
2006185181.tif 000015
【図１４】
2006185181.tif 000016
【図１５】
2006185181.tif 000017
【図１６】
2006185181.tif 000018
【図１７】
2006185181.tif 000019
【図１８】
2006185181.tif 000020
【図１９】
2006185181.tif 000021
【図２０】
2006185181.tif 000022